(57)【要約】【課題】全体を均一に発光させると共に、比較的薄い形状とすることができる照明装置を提供すること。【解決手段】枠部材５と、この枠部材５に取り付けられる第一ＬＥＤ組立体としての第一ＬＥＤ基板１５と、前記第一ＬＥＤ基板１５を覆う透光性外周カバー３と、前記外周カバー３に対し着脱可能な中央カバー４とを有する照明装置であって、前記中央カバー４を透光性材料で形成し、前記中央カバー４の内側に第二ＬＥＤ組立体としての第二ＬＥＤ基板１９を設け、前記第一ＬＥＤ基板１５の第一ＬＥＤ光源群１７と前記第二ＬＥＤ基板１９の第二ＬＥＤ光源群２１とを同時に点灯可能とすると共に、前記第一ＬＥＤ光源群１７から放射された光による前記外周カバー３の表面輝度と、前記第二ＬＥＤ光源群２１から放射された光による前記中央カバー４の表面輝度とをほぼ等しくしたことで、使用時の外観性を向上させることができる。【選択図】図６
2013171670.tif 000002
【特許請求の範囲】
【請求項１】
枠部材と、この枠部材に取り付けられる第一ＬＥＤ組立体と、前記第一ＬＥＤ組立体を覆う透光性外周カバーと、前記外周カバーに対し着脱可能な中央カバーとを有する照明装置において、
前記中央カバーが透光性を有し、この中央カバーの内側に第二ＬＥＤ組立体を設け、前記第一ＬＥＤ組立体と前記第二ＬＥＤ組立体とを同時に点灯可能とすると共に、前記第一ＬＥＤ組立体から放射された光による前記外周カバーの表面輝度と前記第二ＬＥＤ組立体から放射された光による前記中央カバーの表面輝度とをほぼ等しくしたことを特徴とする照明装置。
【請求項２】
前記各ＬＥＤ組立体に実装されたＬＥＤ光源群を点灯させるための回路基板を、前記枠部材における反光源側に配置したことを特徴とする請求項１記載の照明装置。
【請求項３】
前記枠部材が、外向きフランジ部が形成された取付部材を有し、この取付部材を無色で且つ透光性を有する材質で形成すると共に、前記外向きフランジ部によって前記第二ＬＥＤ組立体のＬＥＤ光源群を覆うことを特徴とする請求項１記載の照明装置。
【請求項４】
前記取付部材が、光透過率の高い透明な材質で形成されることを特徴とする請求項３記載の照明装置。
【発明の詳細な説明】
【技術分野】
【０００１】
本発明は、天井の引掛シーリングに取り付けて使用する形式のＬＥＤ照明装置に関するものである。
【背景技術】
【０００２】
従来、この種の照明装置としては、光源と、電源部と、これら光源及び電源部を保持するためのシャーシ等の保持体と、前記光源を覆う透光性カバーと、前記保持体を天井の引掛シーリング等の被取付部材に取り付けるためのアダプタ等の取付部を有するものが知られている（例えば、特許文献１参照。）。そして、このような照明装置は、前記保持体の中央に穴が形成されており、この穴の縁を前記取付部と係合させると共に、前記保持体の外周寄りに前記光源が設けられている。また、前記透光性カバーは、前記光源を覆うように、環状に形成されている。更に、このような照明装置は、前記取付部等を隠すように、電源カバーが設けられている。なお、前記電源カバーの内側に、常夜灯ユニットを設けることもできる。
【先行技術文献】
【特許文献】
【０００３】
【特許文献１】特開２０１１−１３４６８４号公報
【発明の概要】
【発明が解決しようとする課題】
【０００４】
このような照明装置は、前記保持体の外周寄りに前記光源が設けられているため、この光源から放射された光が環状の前記透光性カバーで拡散する。即ち、前記透光性カバーが明るくなる。しかしながら、前記光源から放射された光が、前記電源カバーを殆ど明るくすることがないため、外見上、このような照明装置は、中央が暗く見えるという問題があった。なお、仮に前記照明装置の中央が暗く見えたとしても、室内を照明する際に前記照明装置の直下が暗くなる等ということはないが、使用者にそのような印象を与えてしまうことはあり得た。
【０００５】
このような問題を解決するものとして、前記透光性カバーを前記保持体から着脱可能とし、前記取付部を用いて前記保持部を前記被取付部材に取り付けた後、前記取付部ごと前記保持体を前記透光性カバーで覆うようにした照明装置もある。このように構成すれば、前記光源から放射された光の一部が、前記透光性カバーの中央部において拡散することで、前記透光性カバー全体を明るくすることができる。なお、このような照明装置は、中央に配置された前記取付部の周囲に、点灯回路等のための回路基板が配置される。このため、前記照明装置の中心近くに前記光源を配置することができなかった。このように、前記光源が前記照明装置の中心から離れた位置にあると、使用する前記光源の指向角によっては、前記透光性カバーの中央部まで光が届かず、前記透光性カバーの中央部に暗部が生じてしまう虞があった。そして、このような暗部が生じないようにするためには、前記光源から前記透光性カバーの中央部迄の光軸方向の距離を大きくする必要があるが、このようにすると、前記照明装置が厚くなってしまうという問題が生じる。更に、前記照明装置を前記被取付部に対し着脱する場合、前記透光性カバーを取り外して前記ＬＥＤを露出させた際に、このＬＥＤを破損してしまう虞もあった。
【０００６】
本発明は以上の問題点を解決し、全体を均一に発光させると共に、全体を比較的薄い形状とすることができる照明装置を提供することを目的とする。
【課題を解決するための手段】
【０００７】
本発明の請求項１に記載の照明装置は、枠部材と、この枠部材に取り付けられる第一ＬＥＤ組立体と、前記第一ＬＥＤ組立体を覆う透光性外周カバーと、前記外周カバーに対し着脱可能な中央カバーとを有する照明装置において、前記中央カバーが透光性を有し、この中央カバーの内側に第二ＬＥＤ組立体を設け、前記第一ＬＥＤ組立体と前記第二ＬＥＤ組立体とを同時に点灯可能とすると共に、前記第一ＬＥＤ組立体から放射された光による前記外周カバーの表面輝度と前記第二ＬＥＤ組立体から放射された光による前記中央カバーの表面輝度とをほぼ等しくしたものである。
【０００８】
また、本発明の請求項２に記載の照明装置は、請求項１において、前記各ＬＥＤ組立体に実装されたＬＥＤ光源群を点灯させるための回路基板を、前記枠部材における反光源側に配置したものである。
【０００９】
また、本発明の請求項３に記載の照明装置は、請求項１において、前記枠部材が、外向きフランジ部が形成された取付部材を有し、この取付部材を無色で且つ透光性を有する材質で形成すると共に、前記外向きフランジ部によって前記第二ＬＥＤ組立体のＬＥＤ光源群を覆うものである。
【００１０】
更に、本発明の請求項４に記載の照明装置は、請求項３において、前記取付部材が、光透過率の高い透明な材質で形成されるものである。
【発明の効果】
【００１１】
本発明の請求項１に記載の照明装置は、以上のように構成することにより、使用時に、照明装置の外周カバーと中央カバーをほぼ同じ明るさにすることができるので、使用時の外観性を向上させることができる。
【００１２】
なお、前記各ＬＥＤ組立体に実装されたＬＥＤ光源群を点灯させるための回路基板を、前記枠部材における反光源側に配置すれば、前記第二ＬＥＤ組立体を前記照明装置の中央寄りに配置することが可能となり、前記第二ＬＥＤ組立体のＬＥＤ光源群から前記中央カバーまでの距離を比較的小さく、即ち前記照明装置を比較的薄くしても、前記ＬＥＤ光源群から放射された光を前記中央カバーの中心部に到達させることができるので、この中央カバーの中心部に暗部を生じさせないようにすることができる。
【００１３】
また、前記枠部材が、外向きフランジ部が形成された取付部材を有し、この取付部材を無色で且つ透光性を有する材質で形成すると共に、前記外向きフランジ部によって前記第二ＬＥＤ組立体のＬＥＤ光源群を覆うようにすれば、前記第二ＬＥＤ組立体を前記照明装置の中央寄りに配置することが可能となり、前記第二ＬＥＤ組立体のＬＥＤ光源群から前記中央カバーまでの距離を比較的小さく、即ち前記照明装置を比較的薄くしても、前記ＬＥＤ光源群から放射された光を前記中央カバーの中心部に到達させることができるので、この中央カバーの中心部に暗部を生じさせないようにすることができるばかりでなく、前記照明装置の天井への着脱時に前記中央カバーを取り外したとしても、前記外向きフランジ部によって前記ＬＥＤ光源群を保護することができる。また、前記ＬＥＤ光源群から放射された光の色味に影響を与えないようにして、前記外周カバーの発光色との間に相違を生じさせないようにすることができる。
【００１４】
更に、前記取付部材を、光透過率の高い透明な材質で形成すれば、前記ＬＥＤ光源群から放射された光が前記取付部材の外向きフランジ部を通過しても、前記中央カバーの表面輝度に殆ど影響を与えないようにすることができる。
【図面の簡単な説明】
【００１５】
【図１】本発明の一実施形態を示す照明装置の正面図である。
【図２】同、側面図である。
【図３】同、天井に取り付けた状態における側面図である。
【図４】同、Ａ−Ａ断面図である。
【図５】同、天井に取り付けた状態におけるＡ−Ａ断面図である。
【図６】同、図４における両ＬＥＤ組立体周辺の拡大図である。
【図７】同、図５における中央部の拡大図である。
【図８】同、回路のブロック図である。
【発明を実施するための形態】
【００１６】
以下、本発明の実施形態について、図１乃至図７に基づいて説明する。なお、本実施形態では、便宜上、使用者の側を向く下面を正面とするが、図２乃至図５における上下に基づいて上下を規定する。１は天井Ｃに取り付けられる照明装置である。この照明装置１は、照明装置本体２と、外周カバー３と、中央カバー４とを有して構成される。前記照明装置本体２は、枠部材５を有する。この枠部材５は、支持枠６と、放熱枠７と、基板カバー８と、取付部材９とを有して構成される。前記支持枠６及び放熱枠７は、アルミニウム合金によって形成される。また、前記基板カバー８は、鋼板によって形成される。更に、取付部材９は、無色透明で且つ光の透過率の高い合成樹脂によって形成される。そして、前記支持枠６及び基板カバー８の上部中央には、それぞれ同径且つ同形状の穴が形成されており、これらの穴が重なるように前記支持枠６と基板カバー８を固定することで、第一取付穴１０が構成される。また、前記放熱枠７は平板状の部位を有すると共に、その中央に貫通穴７Ａが形成される。また、前記取付部材９は、上下両端が開口した円筒部１１と、この円筒部１１の下端から側方に延びる外向きフランジ部１２とを有する。なお、前記円筒部１１の外径は、前記貫通穴７Ａの内径と同じか、又はやや小さい。また、前記円筒部１１の内径は、前記第一取付穴１０の内径よりも大きい。即ち、前記支持枠６における前記取付穴１０の周辺は、前記円筒部１１の内周よりも内側に突出した部分が内向きフランジ部６Ａとなる。また、前記円筒部１１の内側には、内向きフランジ部１３が形成されると共に、この内向きフランジ部１３の中央部に円形の第二取付穴１４が形成される。そして、前記第一取付穴１０の内径と第二取付穴１４の内径は、ほぼ等しい。
【００１７】
前記放熱枠７の平板部の外周側には、第一ＬＥＤ組立体としての第一ＬＥＤ基板１５が取り付けられる。この第一ＬＥＤ基板１５は、基板１６と、この基板１６に実装された第一ＬＥＤ光源群１７と、同じく前記基板１６に実装された補助ＬＥＤ光源群１８とを有して構成される。なお、この補助ＬＥＤ光源群１８は、常夜灯として用いられる。一方、前記放熱枠７における前記第一ＬＥＤ基板１５の内側には、第二ＬＥＤ組立体としての第二ＬＥＤ基板１９が取り付けられる。この第二ＬＥＤ基板１９は、基板２０と、この基板２０に実装された第二ＬＥＤ光源群２１とを有して構成される。なお、前記第二ＬＥＤ基板１９は、前記取付部材９の外向きフランジ部１２によって覆われる。また、前記第二ＬＥＤ光源群２１は、前記円筒部１１を囲むように、この円筒部１１の近傍に位置する。また、前記第一ＬＥＤ光源群１７を構成するＬＥＤと前記第二ＬＥＤ光源群２１を構成するＬＥＤは同じものである。また、前記第一ＬＥＤ基板１５と第二ＬＥＤ基板１９は、前記放熱枠７の同じ平面部に取り付けられるので、ほぼ面一な位置関係となる。そして、前記支持枠６と放熱枠７、即ち前記枠部材５の反光源側に、回路基板２２が取り付けられる。なお、前記回路基板２２は、前記基板カバー８によって覆われる。
【００１８】
前記外周カバー３は、乳白色の合成樹脂によって構成されると共に、透光性を有する。また、前記外周カバー３は、外周部２３と、凹部２４とを有する。この凹部２４は、筒状部２５と、この筒状部２５から内側に延びるフランジ部２６とを有する。そして、このフランジ部２６の中央部に開口２７が形成される。なお、前記第一ＬＥＤ基板１５は、前記筒状部２５よりも外側に位置する。従って、前記第一ＬＥＤ基板１５は、前記外周カバー３の外周部２３によって覆われる。一方、前記第二ＬＥＤ基板１９は、前記開口２７よりも内側に位置する。従って、前記第二ＬＥＤ基板１９は、前記外周カバー３によって覆われない。そして、前記開口２７によって、前記枠部材５に形成された前記第一取付穴１０及び第二取付穴１４が露出する。なお、前記外周カバー３は、前記枠部材５に対しビス等によって固定される。詳述すると、前記外周カバー３の外周部２３の外縁部は、取付枠２８を介して前記枠部材５にビス止めされる。一方、前記外周カバー３の内縁部であるフランジ部２６は、前記取付部材９の外向きフランジ部１２にビス止めされる。なお、前記外周カバー３は、図２乃至図５に示すように、下方に向かって僅かに凸となるように構成される。即ち、前記第一ＬＥＤ光源群１７のうち、中央寄りのＬＥＤ１７Ａから前記外周部２３までの距離Ｌａよりも、外周寄りのＬＥＤ１７Ｂから前記外周部２３までの距離Ｌｂの方が短い。しかしながら、これらの距離Ｌａ，Ｌｂの差は、ごく僅かなものである。即ち、距離Ｌａと距離Ｌｂは、実質的にほぼ等しいと言える。
【００１９】
前記中央カバー４は、乳白色の合成樹脂によって構成されると共に、透光性を有する。そして、前記中央カバー４は、前記外周カバー３の中央部に設けられた凹部２４に対し、着脱可能に取り付けられる。そして、前記中央カバー４によって、前記外周カバー３の開口２７が塞がれる。そして、前記中央カバー４の奥、即ち内側には、前記第二ＬＥＤ基板１９が配置される。即ち、前記第二ＬＥＤ光源群２１から放射された光の大部分は、前記外向きフランジ部１２を通過した後、前記中央カバー４を通過する。なお、前記第二ＬＥＤ光源群２１を構成するＬＥＤ２１Ａから前記中央カバー４迄の距離Ｌｃは、前記ＬＥＤ１７Ａから前記外周部２３までの距離Ｌａよりも長いが、これらの距離Ｌａ，Ｌｃの差はごく僅かなものである。即ち、距離Ｌａと距離Ｌｃは、実質的にほぼ等しいと言える。
【００２０】
前記回路基板２２には、制御回路２９と、電源回路３０と、点灯回路３１が実装される。また、前記第一ＬＥＤ基板１５と第二ＬＥＤ基板１９との間には、リモートコントローラＲからの信号を受ける入力手段３２が設けられる。なお、この入力手段３２は、前記外向きフランジ部１２によって覆われる。
【００２１】
３３は天井Ｃに固定された引掛シーリングであり、３４はこの引掛シーリング３３に対し着脱可能に取り付けられる取付アダプタである。そして、この取付アダプタ３４に設けられた出没可能な爪３５が、前記内向きフランジ部６Ａ又は前記内向きフランジ部１３と係合可能に構成される。また、３６は前記照明装置本体２と天井Ｃとの間に配置される弾性体からなるスペーサである。
【００２２】
次に、本実施形態の作用について説明する。まず、前記照明装置１を天井Ｃに取り付ける手順について説明する。まず使用者は、予め、天井Ｃに固定された前記引掛シーリング３３に、前記取付アダプタ３４の図示しない切片を引っ掛けて取り付けておく。そして、使用者は、前記中央カバー４を前記凹部２４から取り外す。そして、前記取付アダプタ３４が前記第一取付穴１０に入り込むように、前記照明装置１を天井Ｃに向けて押し上げる。この際、前記取付アダプタ３４が前記第一取付穴１０を通過すると共に、前記第二取付穴１４内に入った後、前記爪３５が前記内向きフランジ部１３と係合する。なお、元々天井Ｃに固定されていた引掛シーリング３３の種類によって、前記爪３５が前記内向きフランジ部１３ではなく、前記内向きフランジ部６Ａと係合する場合もある。また、前記取付アダプタ３４は、前記開口２７から露出する。このようにして、前記照明装置１が前記取付アダプタ３４に取り付けられた後、この取付アダプタ３４に設けられた図示しない電源コードを、前記照明装置１に設けられた同じく図示しない受電端子に接続する。このように、前記電源コードを前記受電端子に接続することで、前記照明装置１が動作可能な状態となる。更に、前記中央カバー４を前記凹部２４に取り付け、前記開口２７を塞ぐと共に、この開口２７から露出した前記取付アダプタ３４を覆う。
【００２３】
なお、前記外周カバー３は、前記照明装置本体２に対し着脱自在になっていない。このため、前記照明装置１を天井Ｃに取り付ける際に、前記外周カバー３が取り外されることはない。即ち、前記照明装置１を天井Ｃに取り付ける際に、前記第一ＬＥＤ基板１５が露出することはない。従って、前記外周セード３以外に、前記第一ＬＥＤ基板１５の表面に実装された第一ＬＥＤ光源群１７及び補助ＬＥＤ光源群１８を保護するための要素が不要となる。
【００２４】
この状態で、使用者が前記リモートコントローラＲを操作すると、このリモートコントローラＲから送信された信号を前記入力手段３２が受信し、この受信信号に基づいて前記制御回路２９が前記点灯回路３１を制御することで、前記第一ＬＥＤ光源群１７及び第二ＬＥＤ光源群２１、又は前記補助ＬＥＤ光源群１８が点灯したり消灯したりする。そして、前記各ＬＥＤ光源群１７，１８，２１が発生させる熱は、前記各基板１６，２０を経て前記放熱枠７に至り、この放熱枠７から外部に放出される。なお、前述した通り、前記第一ＬＥＤ光源群１７のうち、中央寄りのＬＥＤ１７Ａから前記外周部２３までの距離Ｌａと、外周寄りのＬＥＤ１７Ｂから前記外周部２３までの距離Ｌｂがほぼ等しいので、前記外周部２３によって光が拡散することと相まって、前記外周部２３の表面輝度を、ほぼ均一にすることができる。また、前記第一ＬＥＤ基板１５上の第一ＬＥＤ光源群１７と、前記第二ＬＥＤ基板１９上の第二ＬＥＤ光源群２１は、同時に且つ同じ明るさで点灯する。そして、前述した通り、前記第一ＬＥＤ光源群１７のうち、中央寄りのＬＥＤ１７Ａから前記外周部２３までの距離Ｌａと、前記第二ＬＥＤ光源群２１を構成するＬＥＤ２１Ａから前記中央カバー４までの距離Ｌｃがほぼ等しいので、前記外周部２３及び中央カバー４によって光が拡散することと相まって、前記外周部２３の表面輝度と前記中央カバー４の表面輝度を、ほぼ同じにすることができる。なお、前記ＬＥＤ２１Ａと中央カバー４との間には、前記外向きフランジ部１２が存在するが、この外向きフランジ部１２を構成する材質は透過率が高い（９７％程度）ので、前記中央カバー４の表面輝度に殆ど影響を与えない。また、前記外向きフランジ部１２を構成する材質は、無色透明なので、前記ＬＥＤ２１Ａから放射された光の色味に影響を与えない。更に、前記第一ＬＥＤ光源群１７と第二ＬＥＤ光源群２１は、調光を行った際にも、同じ明るさに調整される。
【００２５】
なお、前述した通り、前記円筒部１１の外周近傍に、前記第二ＬＥＤ光源群２１が配置される。これは、前記外向きフランジ部１２を含む前記取付部材９が、透明で且つ光の透過率の高い合成樹脂によって形成されること、及び前記回路基板２２が前記枠部材５の反光源側に配置されることによる。これによって、前記ＬＥＤ２１Ａの光軸から前記中央カバー４の中心までの距離を小さくすることができる。このように、前記ＬＥＤ２１Ａを前記照明装置１の中心に近付けて配置することで、前記ＬＥＤ２１Ａから前記中央カバー４までの光軸方向の距離を大きくしなくても、前記ＬＥＤ２１Ａから放射された光を前記中央カバー４の中心に到達させることができる。これによって、従来構造に比べて比較的薄い形状の前記照明装置１であっても、前記中央カバー４の中央部に暗部を生じさせないようにすることができる。
【００２６】
以上のように本発明は、枠部材５と、この枠部材５に取り付けられる第一ＬＥＤ組立体としての第一ＬＥＤ基板１５と、前記第一ＬＥＤ基板１５を覆う透光性外周カバー３と、前記外周カバー３に対し着脱可能な中央カバー４とを有する照明装置であって、前記中央カバー４を透光性材料で形成し、前記中央カバー４の内側に第二ＬＥＤ組立体としての第二ＬＥＤ基板１９を設け、前記第一ＬＥＤ基板１５を構成する第一ＬＥＤ光源群１７と前記第二ＬＥＤ基板１９を構成する第二ＬＥＤ光源群２１とを同時に点灯可能とすると共に、前記第一ＬＥＤ光源群１７から放射された光による前記外周カバー３の表面輝度と、前記第二ＬＥＤ光源群２１から放射された光による前記中央カバー４の表面輝度とをほぼ等しくしたことで、使用時の外観性を向上させることができるものである。
【００２７】
また本発明は、前記各ＬＥＤ基板１５，１９に実装された各ＬＥＤ光源群１７，１８，２１を点灯させるための回路基板２２を、前記枠部材５における反光源側に配置したことで、前記第二ＬＥＤ基板１９を前記照明装置１の中央寄りに配置することが可能となり、前記第二ＬＥＤ光源群２１から前記中央カバー４までの距離を比較的小さく、即ち前記照明装置１を比較的薄くしても、前記第二ＬＥＤ光源群２１から放射された光を前記中央カバー４の中心部に到達させることができるので、この中央カバー４の中心部に暗部を生じさせないようにすることができるものである。
【００２８】
また本発明は、前記枠部材５が、外向きフランジ部１２が形成された取付部材９を有し、この取付部材９を無色で且つ透光性を有する材質で形成すると共に、前記外向きフランジ部１２によって前記第二ＬＥＤ光源群２１を覆うことで、前記第二ＬＥＤ基板１９を前記照明装置１の中央寄りに配置することが可能となり、前記第二ＬＥＤ光源群２１から前記中央カバー４までの距離を比較的小さく、即ち前記照明装置１を比較的薄くしても、前記第二ＬＥＤ光源群２１から放射された光を前記中央カバー４の中心部に到達させることができるので、この中央カバー４の中心部に暗部を生じさせないようにすることができるばかりでなく、前記照明装置１の天井Ｃへの着脱時に前記中央カバー４を取り外したとしても、前記外向きフランジ部１２によって前記第二ＬＥＤ光源群２１を保護することができる。更に、前記第二ＬＥＤ光源群２１から放射された光の色味に影響を与えないようにして、前記外周カバー３の発光色との間に相違を生じさせないようにすることができるものである。
【００２９】
更に本発明は、前記取付部材９を、光透過率の高い透明な材質で形成したことで、前記第二ＬＥＤ光源群２１から放射された光が前記取付部材９の外向きフランジ部１２を通過しても、前記中央カバー４の表面輝度に殆ど影響を与えないようにすることができるものである。
【００３０】
なお、本発明は以上の実施形態に限定されるものではなく、発明の要旨の範囲内で種々の変形実施が可能である。例えば、上記実施形態では、前記取付部材を透明な材質で構成すると共に、前記第一ＬＥＤ光源群と第二ＬＥＤ光源群を同じ明るさで発光させたが、前記取付部材を、光拡散性を有する透光性材料によって形成すると共に、前記取付部材の外向きフランジ部による減衰分を考慮して、前記第二ＬＥＤ光源群を第一ＬＥＤ光源群よりも明るく発光させるようにしても良い。また、上記実施形態では、前記第一ＬＥＤ基板と第二ＬＥＤ基板を独立して設けたが、これらを一つの基板で構成し、前記外周カバーの外周部で覆われる部分を第一ＬＥＤ組立体、前記中央カバーで覆われる部分を第二ＬＥＤ組立体としても良い。
【符号の説明】
【００３１】
１  照明装置
３  外周カバー
４  中央カバー
５  枠部材
９  取付部材
１０  第一取付穴
１２  外向きフランジ部
１４  第二取付穴
１５  第一ＬＥＤ基板（第一ＬＥＤ組立体）
１７  第一ＬＥＤ光源群
１９  第二ＬＥＤ基板（第二ＬＥＤ組立体）
２１  第二ＬＥＤ光源群
２２  回路基板
Ｃ  天井
【図１】
2013171670.tif 000003
【図２】
2013171670.tif 000004
【図３】
2013171670.tif 000005
【図４】
2013171670.tif 000006
【図５】
2013171670.tif 000007
【図６】
2013171670.tif 000008
【図７】
2013171670.tif 000009
【図８】
2013171670.tif 000010